(57)【特許請求の範囲】
【請求項１】
ワイヤを巻回する巻芯部と、前記巻芯部の両端に設けられた第１及び第２のツバ部と、を有するコアと、
前記巻芯部に巻回され、第１及び第２のワイヤを有し、中間タップが設けられた一次巻線と、
前記巻芯部に巻回され、第３及び第４のワイヤを有し、中間タップが設けられた二次巻線と
前記第１のツバ部の上に前記巻芯部の延在方向に垂直な第１の方向に沿って設けられ、前記一次巻線の第１のワイヤの端部を接続する第１の電極と、前記二次巻線の前記第４のワイヤの中間タップ側の端部を接続する第２の電極と、前記一次巻線の第２のワイヤの端部を接続する第３の電極と、前記二次巻線の前記第３のワイヤの中間タップ側の端部を接続する第４の電極と、
前記第２のツバ部の上に前記第１の方向とは逆の第２の方向に沿って設けられ、前記二次巻線の第３のワイヤの端部を接続する第５の電極と、前記一次巻線の第２のワイヤの中間タップ側の端部を接続する第６の電極と、前記二次巻線の第４のワイヤの端部を接続する第７の電極と、前記一次巻線の前記第１のワイヤの中間タップ側の端部を接続する第８の電極と、
を備え、
前記第１のワイヤは、前記第１のツバ部から前記第２のツバ部に向かう方向から見て、前記巻芯部を反時計回りに巻回して、前記第１のツバ部の前記第１の電極と前記第２のツバ部の前記第８の電極との間に接続され、
前記第２のワイヤは、前記第１のツバ部から前記第２のツバ部に向かう方向から見て、前記巻芯部を時計回りに巻回して、前記第１のツバ部の前記第３の電極と前記第２のツバ部の前記第６の電極との間に接続され、
前記第３のワイヤは、前記第１のツバ部から前記第２のツバ部に向かう方向から見て、前記巻芯部を時計回りに巻回して、前記第１のツバ部の前記第４の電極と前記第２のツバ部の前記第５の電極との間に接続され、
前記第４のワイヤは、前記第１のツバ部から前記第２のツバ部に向かう方向から見て、前記巻芯部を反時計回りに巻回して、前記第１のツバ部の前記第２の電極と前記第２のツバ部の前記第７の電極との間に接続されていると共に、
前記第１のツバ部の前記第２の電極と前記第４の電極とを接続する第１の中間タップ接続電極と、
前記第２のツバ部の前記第６の電極と前記第８の電極とを接続する第２の中間タップ接続電極と、
を備えた、コイル部品。
【発明の詳細な説明】
【技術分野】
【０００１】
本発明は、コイル部品に関する。
【背景技術】
【０００２】
近年、携帯電話、スマートフォン、タブレット等の移動体通信機器では、例えば、ノイズ除去、高周波抑制フィルタ等に用いられるコイル部品がさらに小型化されてきている。例えば、ドラムコアにワイヤを４本巻き、両側のツバにそれぞれ３つの電極が設けられ、一つの電極にはワイヤ２本が接続されたパルストランスがある（例えば、特許文献１参照。）。
【先行技術文献】
【特許文献】
【０００３】
【特許文献１】特許第４７３７２６８号公報
【発明の概要】
【発明が解決しようとする課題】
【０００４】
図６の従来のパルストランスでは、ツバ部の電極周辺の複数箇所でワイヤがクロスしている。このクロスしている箇所としては、各ツバ部で２箇所づつ、合計４箇所ある。具体的には、一方のツバ部では、一次側のワイヤの両端のクロス箇所Ａと、一次側のワイヤの一端と二次側の中間タップ側のワイヤとのクロス箇所Ｂと、がある。他方のツバ部では、二次側のワイヤの両端のクロス箇所（図示せず）と、二次側のワイヤの一端と一次側の中間タップ側のワイヤとのクロス箇所（図示せず）と、がある。
【０００５】
一般にトランスでは一次側と二次側との絶縁が重要である。ワイヤがクロスしている箇所があると絶縁不良の発生のおそれがある。特に、ツバ部の電極の周辺でワイヤがクロスしていると、電極とワイヤとの熱圧着を行った際のショートが発生したり、絶縁耐圧の信頼性が損なわれる恐れがある。
【０００６】
本発明は、ツバ部の電極周辺でのワイヤのクロスする箇所を減らしたコイル部品を提供することを目的とする。
【課題を解決するための手段】
【０００７】
本発明に係るコイル部品は、ワイヤを巻回する巻芯部と、前記巻芯部の両端に設けられた第１及び第２のツバ部と、を有するコアと、
前記巻芯部に巻回され、第１及び第２のワイヤを有し、中間タップが設けられた一次巻線と、
前記巻芯部に巻回され、第３及び第４のワイヤを有し、中間タップが設けられた二次巻線と
前記第１のツバ部の上に前記巻芯部の延在方向に垂直な第１の方向に沿って設けられ、前記一次巻線の前記第１のワイヤの端部と前記第２のワイヤの端部とをそれぞれ接続する第１及び第２の電極と、前記二次巻線の前記第３及び第４のワイヤの中間タップ側のそれぞれの端部を接続する第３の電極と、
前記第２のツバ部の上に前記第１の方向とは逆の第２の方向に沿って設けられ、前記二次巻線の第３のワイヤの端部と第４のワイヤの端部とをそれぞれ接続する第４及び第５の電極と、前記一次巻線の前記第１及び第２のワイヤの中間タップ側のそれぞれの端部を接続する第６の電極と、
を備え、
前記第１のワイヤは、前記第１のツバ部から前記第２のツバ部に向かう方向から見て、前記巻芯部を反時計回りに巻回して、前記第１のツバ部の前記第１の電極と前記第２のツバ部の前記第６の電極との間に接続され、
前記第２のワイヤは、前記第１のツバ部から前記第２のツバ部に向かう方向から見て、前記巻芯部を時計回りに巻回して、前記第１のツバ部の前記第２の電極と前記第２のツバ部の前記第６の電極との間に接続され、
前記第３のワイヤは、前記第１のツバ部から前記第２のツバ部に向かう方向から見て、前記巻芯部を時計回りに巻回して、前記第１のツバ部の前記第３の電極と前記第２のツバ部の前記第４の電極との間に接続され、
前記第４のワイヤは、前記第１のツバ部から前記第２のツバ部に向かう方向から見て、前記巻芯部を反時計回りに巻回して、前記第１のツバ部の前記第３の電極と前記第２のツバ部の前記第５の電極との間に接続されている。
【発明の効果】
【０００８】
本発明に係るコイル部品によれば、コアのツバ部に設けられた電極の近傍でワイヤが交差しないため、熱圧着の際のワイヤ間のショート発生を抑制できる。また、長期信頼性を向上出来る。
【図面の簡単な説明】
【０００９】
【図１】実施の形態１に係るコイル部品のツバ部の電極周辺の構造を示す概略斜視図である。
【図２】実施の形態１に係るコイル部品の一例の回路構成を示す回路図である。
【図３】実施の形態２に係るコイル部品のツバ部の電極周辺の構造を示す概略斜視図である。
【図４】実施の形態２に係るコイル部品の一例の回路構成を示す回路図である。
【図５】実施の形態２に係るコイル部品の変形例の基板実装時のツバ部の電極周辺の構造を示す概略斜視図である。
【図６】従来のパルストランスのツバ部の電極周辺の構造を示す概略斜視図である。
【発明を実施するための形態】
【００１０】
第１の態様に係るコイル部品は、ワイヤを巻回する巻芯部と、前記巻芯部の両端に設けられた第１及び第２のツバ部と、を有するコアと、
前記巻芯部に巻回され、第１及び第２のワイヤを有し、中間タップが設けられた一次巻線と、
前記巻芯部に巻回され、第３及び第４のワイヤを有し、中間タップが設けられた二次巻線と
前記第１のツバ部の上に前記巻芯部の延在方向に垂直な第１の方向に沿って設けられ、前記一次巻線の前記第１のワイヤの端部と前記第２のワイヤの端部とをそれぞれ接続する第１及び第２の電極と、前記二次巻線の前記第３及び第４のワイヤの中間タップ側のそれぞれの端部を接続する第３の電極と、
前記第２のツバ部の上に前記第１の方向とは逆の第２の方向に沿って設けられ、前記二次巻線の第３のワイヤの端部と第４のワイヤの端部とをそれぞれ接続する第４及び第５の電極と、前記一次巻線の前記第１及び第２のワイヤの中間タップ側のそれぞれの端部を接続する第６の電極と、
を備え、
前記第１のワイヤは、前記第１のツバ部から前記第２のツバ部に向かう方向から見て、前記巻芯部を反時計回りに巻回して、前記第１のツバ部の前記第１の電極と前記第２のツバ部の前記第６の電極との間に接続され、
前記第２のワイヤは、前記第１のツバ部から前記第２のツバ部に向かう方向から見て、前記巻芯部を時計回りに巻回して、前記第１のツバ部の前記第２の電極と前記第２のツバ部の前記第６の電極との間に接続され、
前記第３のワイヤは、前記第１のツバ部から前記第２のツバ部に向かう方向から見て、前記巻芯部を時計回りに巻回して、前記第１のツバ部の前記第３の電極と前記第２のツバ部の前記第４の電極との間に接続され、
前記第４のワイヤは、前記第１のツバ部から前記第２のツバ部に向かう方向から見て、前記巻芯部を反時計回りに巻回して、前記第１のツバ部の前記第３の電極と前記第２のツバ部の前記第５の電極との間に接続されている。
【００１１】
第２の態様に係るコイル部品は、ワイヤを巻回する巻芯部と、前記巻芯部の両端に設けられた第１及び第２のツバ部と、を有するコアと、
前記巻芯部に巻回され、第１及び第２のワイヤを有し、中間タップが設けられた一次巻線と、
前記巻芯部に巻回され、第３及び第４のワイヤを有し、中間タップが設けられた二次巻線と
前記第１のツバ部の上に前記巻芯部の延在方向に垂直な第１の方向に沿って設けられ、前記一次巻線の第１のワイヤの端部を接続する第１の電極と、前記二次巻線の前記第４のワイヤの中間タップ側の端部を接続する第２の電極と、前記一次巻線の第２のワイヤの端部を接続する第３の電極と、前記二次巻線の前記第３のワイヤの中間タップ側の端部を接続する第４の電極と、
前記第２のツバ部の上に前記第１の方向とは逆の第２の方向に沿って設けられ、前記二次巻線の第３のワイヤの端部を接続する第５の電極と、前記一次巻線の第２のワイヤの中間タップ側の端部を接続する第６の電極と、前記二次巻線の第４のワイヤの端部を接続する第７の電極と、前記一次巻線の前記第１のワイヤの中間タップ側の端部を接続する第８の電極と、
を備え、
前記第１のワイヤは、前記第１のツバ部から前記第２のツバ部に向かう方向から見て、前記巻芯部を反時計回りに巻回して、前記第１のツバ部の前記第１の電極と前記第２のツバ部の前記第８の電極との間に接続され、
前記第２のワイヤは、前記第１のツバ部から前記第２のツバ部に向かう方向から見て、前記巻芯部を時計回りに巻回して、前記第１のツバ部の前記第３の電極と前記第２のツバ部の前記第６の電極との間に接続され、
前記第３のワイヤは、前記第１のツバ部から前記第２のツバ部に向かう方向から見て、前記巻芯部を時計回りに巻回して、前記第１のツバ部の前記第４の電極と前記第２のツバ部の前記第５の電極との間に接続され、
前記第４のワイヤは、前記第１のツバ部から前記第２のツバ部に向かう方向から見て、前記巻芯部を反時計回りに巻回して、前記第１のツバ部の前記第２の電極と前記第２のツバ部の前記第７の電極との間に接続されている。
【００１２】
第３の態様に係るコイル部品は、上記第２の態様において、さらに、前記第１のツバ部の前記第２の電極と前記第４の電極とを接続する第１の中間タップ接続電極と、
前記第２のツバ部の前記第６の電極と前記第８の電極とを接続する第２の中間タップ接続電極と、
を備えてもよい。
【００１３】
以下、実施の形態に係るコイル部品について、添付図面を参照しながら説明する。なお、図面において実質的に同一の部材については同一の符号を付している。
【００１４】
（実施の形態１）
図１は、実施の形態１に係るコイル部品１０のツバ部１２ａ、１２ｂの電極周辺の構造を示す概略斜視図である。図２は、実施の形態１に係るコイル部品１０の一例の回路構成を示す回路図である。
このコイル部品１０は、ワイヤを巻回する巻芯部１１と、巻芯部１１の両端に設けられた第１及び第２のツバ部１２ａ、１２ｂと、を有するコアと、巻芯部１１に巻回され、第１及び第２のワイヤＳ１、Ｓ２を有し、中間タップが設けられた一次巻線Ｃ１と、巻芯部１１に巻回され、第３及び第４のワイヤＳ３、Ｓ４を有し、中間タップが設けられた二次巻線Ｃ２と、を有する。また、第１のツバ部１２ａの上には、巻芯部１１の延在方向に垂直な第１の方向に沿って一次巻線Ｃ１の第１のワイヤＳ１の端部Ｗ１と第２のワイヤＳ２の端部Ｗ２とをそれぞれ接続する第１及び第２の電極Ｔ１、Ｔ２と、二次巻線Ｃ２の第３のワイヤＳ３と第４のワイヤＳ４の中間タップ側の端部Ｗ５、Ｗ６を接続する第３の電極Ｔ３と、が順に設けられている。第２のツバ部１２ｂの上には、第１の方向とは逆の第２の方向に沿って、二次巻線Ｃ２の第３のワイヤＳ３の端部Ｗ３と第４のワイヤＳ４の端部Ｗ４とをそれぞれ接続する第４及び第５の電極Ｔ４、Ｔ５と、一次巻線Ｃ１の第１のワイヤＳ１及び第２のワイヤＳ２の中間タップ側の端部Ｗ７、Ｗ８を接続する第６の電極Ｔ６と、が順に設けられている。
【００１５】
このコイル部品１０によれば、図６での電極Ｔ５１と電極Ｔ５２とを入れ替えて第１のツバ部１２ａ上に第１の電極Ｔ１と第２の電極Ｔ２とを配置している。具体的には、一次巻線Ｃ１の第１及び第２のワイヤＳ１，Ｓ２の巻回方向が互いに逆方向となるように巻回している。第１及び第２のワイヤＳ１、Ｓ２の端部Ｗ１、Ｗ２は、それぞれのワイヤＳ１、Ｓ２の巻回方向が互いに逆なので、巻芯部１１に最初に接する側がそれぞれ異なる。そこで、第１及び第２のワイヤＳ１、Ｓ２の端部Ｗ１、Ｗ２を接続する２つの電極を、巻芯部１１に最初に接する側により近くなるように設けている。これによって、図１の囲み箇所Ｃに示すように、図６の従来のコイル部品における電極周辺でのワイヤのクロス箇所Ａを解消している。
なお、第２のツバ部１２ｂ上の第４の電極Ｔ４と第５の電極Ｔ５とを同様に配置している。
そこで、ツバ部１２ａ、１２ｂの電極とワイヤとの熱圧着の際のショートの発生を抑制でき、絶縁耐圧の長期信頼性を向上させることができる。
なお、このコイル部品１０は、パルストランスとして用いてもよい。
【００１６】
以下に、このコイル部品１０を構成する各部材について説明する。
【００１７】
＜コア＞
コアは、巻芯部１１と、巻芯部１１の両端に設けられた第１及び第２のツバ部１２ａ、１２ｂと、を有する。このコアは、フェライト等の軟磁性体材料からなるものであってもよい。
【００１８】
＜巻芯部＞
巻芯部１１の長手方向の長さは特に限定されないが、例えば、０．２ｍｍ〜２．０ｍｍの範囲であってもよい。巻芯部１１の断面形状は、例えば、四角形形状、多角形形状、円形形状等であってもよい。
【００１９】
＜ツバ部＞
ツバ部１２ａ、１２ｂの外形は、例えば、四角形形状、多角形形状、円形形状等であってもよい。
【００２０】
＜電極＞
ツバ部１２ａ、１２ｂに設けられる電極Ｔ１〜Ｔ６は、通常用いられる導電性材料からなるものであればよい。また、電極Ｔ１〜Ｔ６の形状、及び、大きさは、ワイヤを接続できるものであればよい。
第１のツバ部１２ａ上の電極Ｔ１〜Ｔ３のうち、Ｔ１及びＴ２は一次巻線Ｃ１のワイヤＳ１，Ｓ２の端部Ｗ１、Ｗ２をそれぞれ接続する電極である。一方、Ｔ３は、二次巻線Ｃ２の第３及び第４のワイヤＳ３、Ｓ４の中間タップ側の端部Ｗ５、Ｗ６を接続する電極である。一次巻線Ｃ１と二次巻線Ｃ２との間の絶縁を確保するため、電極Ｔ１及びＴ２と、電極Ｔ３とはツバ部１２ａの上で距離を置いて配置している。
第２のツバ部１２ｂ上の電極Ｔ４〜Ｔ６のうち、Ｔ４及びＴ５は二次巻線Ｃ２のワイヤＳ３，Ｓ４の端部Ｗ３、Ｗ４をそれぞれ接続する電極である。一方、Ｔ６は、一次巻線Ｃ１の第１及び第２のワイヤＳ１、Ｓ２の中間タップ側の端部Ｗ７、Ｗ８を接続する電極である。一次巻線Ｃ１と二次巻線Ｃ２との間の絶縁を確保するため、電極Ｔ４及びＴ５と、電極Ｔ６とはツバ部１２ｂの上で距離を置いて配置している。
なお、第１のツバ部１２ａ上の電極Ｔ１〜Ｔ３と、第２のツバ部１２ｂ上の電極Ｔ４〜Ｔ６は、一次巻線Ｃ１に関する電極と、二次巻線Ｃ２に関する電極とがそれぞれツバ部の同じ側に配置されるようにしている。
【００２１】
＜ワイヤ＞
巻芯部１１に巻回するワイヤとしては、一次巻線Ｃ１と二次巻線Ｃ２とがある。一次巻線Ｃ１は、第１及び第２のワイヤＳ１、Ｓ２を有し、中間タップが設けられている。二次巻線Ｃ２も、第３及び第４のワイヤＳ３、Ｓ４を有し、中間タップが設けられている。また、４つのワイヤＳ１〜Ｓ４は、以下のように各電極間に接続されている。
第１のワイヤＳ１は、第１のツバ部１２ａから第２のツバ部１２ｂに向かう方向から見て、巻芯部１１を反時計回りに巻回している。第１のワイヤＳ１は、両端に端部Ｗ１と端部Ｗ７とを有する。第１のワイヤは、端部Ｗ１で、第１のツバ部１２ａの第１の電極Ｔ１に接続され、端部Ｗ７で、第２のツバ部１２ｂの第６の電極Ｔ６に接続されている。
第２のワイヤＳ２は、第１のツバ部１２ａから第２のツバ部１２ｂに向かう方向から見て、巻芯部１１を時計回りに巻回している。第２のワイヤＳ２は、両端に端部Ｗ２と端部Ｗ８とを有する。第２のワイヤＳ２は、端部Ｗ２で、第１のツバ部１２ａの第２の電極Ｔ２に接続され、端部Ｗ８で、第２のツバ部１２ｂの第６の電極Ｔ６に接続されている。
第１のワイヤＳ１の端部Ｗ７と第２のワイヤＳ２の端部Ｗ８とは、同じ第６の電極Ｔ６に接続され、一次巻線Ｃ１の中間タップを形成している。
【００２２】
第３のワイヤＳ３は、第１のツバ部１２ａから第２のツバ部１２ｂに向かう方向から見て、巻芯部１１を時計回りに巻回している。第３のワイヤＳ３は、両端に端部Ｗ３と端部Ｗ５とを有する。第３のワイヤＳ３は、端部Ｗ５で、第１のツバ部１２ａの第３の電極Ｔ３に接続され、端部Ｗ３で、第２のツバ部１２ｂの第４の電極Ｔ４に接続されている。
第４のワイヤＳ４は、第１のツバ部１２ａから第２のツバ部１２ｂに向かう方向から見て、巻芯部１１を反時計回りに巻回している。第４のワイヤＳ４は、両端に端部Ｗ４と端部Ｗ６とを有する。第４のワイヤＳ４は、端部Ｗ６で、第１のツバ部１２ａの第３の電極Ｔ３に接続され、端部Ｗ４で、第２のツバ部１２ｂの第５の電極Ｔ５に接続されている。
第３のワイヤＳ３の端部Ｗ５と第４のワイヤＳ４の端部Ｗ６とは、同じ第３の電極Ｔ３に接続され、二次巻線Ｃ２の中間タップを形成している。
また、このワイヤＳ１〜Ｓ４は、第１のワイヤＳ１と第４のワイヤＳ４とが同じ反時計回り巻回され、第２のワイヤＳ２と第３のワイヤＳ３とが同じ時計回りに巻回されている。
【００２３】
（実施の形態２）
図３は、実施の形態２に係るコイル部品１０ａのツバ部の電極周辺の構造を示す概略斜視図である。図４は、実施の形態２に係るコイル部品１０ａの一例の回路構成を示す回路図である。
このコイル部品１０ａでは、図３に示すように、例えば、第１のツバ部１２ａ上の二次巻線Ｃ２の中間タップを構成している電極を２つの電極Ｔ１２及びＴ１４とに分けて、第２のワイヤＷ２を接続する電極Ｔ１３をこれらの間に配置している。電極Ｔ１２には、第３のワイヤＳ３の端部Ｗ５を接続し、電極Ｔ１４には、第３のワイヤＳ３の端部Ｗ５を接続している。ここで第３のワイヤＳ３と第４のワイヤＳ４とは互いに逆の巻回方向に巻回している。端部Ｗ５、Ｗ６は、それぞれのワイヤＳ３、Ｓ４の巻回方向が互いに逆なので、巻芯部１１に最初に接する側がそれぞれ異なる。一方、第１のワイヤＳ１が巻芯部１１に最初に接する側は、第４のワイヤＳ４が巻芯部１１に最初に接する側と同じであり、第２のワイヤＳ２が巻芯部１１に最初に接する側は、第３のワイヤＳ３が巻芯部１１に最初に接する側と同じである。そこで、巻芯部１１に最初に接する側が同じワイヤを接続する電極を隣接するように配置している。同様に、第２のツバ部１２ｂ上の一次巻線Ｃ１の中間タップを構成している電極を２つの電極Ｔ１６及びＴ１８とに分けて、第４のワイヤＳ４の端部Ｗ４を接続する電極Ｔ１７をこれらの間に配置している。これによって、丸囲み箇所Ｄに示すように、図６に示すクロス箇所Ｂを解消している。
そこで、実施の形態１における効果に加えて、さらにツバ部１２ａ、１２ｂの電極とワイヤとの熱圧着の際のショートの発生を抑制でき、絶縁耐圧の長期信頼性を向上させることができる。
【００２４】
なお、上記の構成では、中間タップを構成する一つの電極を二つの電極Ｔ１２及びＴ１４とに分けている。そのため、第１のツバ部１２ａの外面側で電極Ｔ１２及びＴ１４とをタップ接続電極（図示せず）によって接続し、第２のツバ部１２ｂの外面側で電極Ｔ１６及びＴ１８とをタップ接続電極ＴＣ２によって接続している。
【００２５】
（変形例）
図５は、実施の形態２に係るコイル部品の変形例１０ｂの基板実装時のツバ部１２ａ、１２ｂの電極周辺の構成を示す概略斜視図である。この変形例１０ｂでは、タップ接続電極を用いないで、コイル部品１０ｂを基板実装した際に基板上の電極ＳＴ１、ＳＴ２によって、電極Ｔ１２及びＴ１４と、電極Ｔ１６及びＴ１８とをそれぞれを接続している。
なお、このように基板上の電極ＳＴ１、ＳＴ２を用いて中間タップを構成する２つの電極Ｔ１２及びＴ１４、Ｔ１６及びＴ１８をそれぞれ接続できるが、実装する基板における制約となる可能性があるため、図３に示すようにタップ接続電極ＴＣ２を用いた接続が好ましい。
【００２６】
以下に、このコイル部品１０ａ、１０ｂを構成する各部材について説明する。なお、実施の形態１と重複する説明は省略する。
【００２７】
＜電極＞
第１のツバ部１２ａの上には、４つの電極Ｔ１１〜Ｔ１４を順に設けている。第１の電極Ｔ１１は、一次巻線Ｃ１の第１のワイヤＳ１の端部Ｗ１を接続している。第２の電極Ｔ１２は、二次巻線Ｃ２の第４のワイヤＳ４の中間タップ側の端部Ｗ６を接続している。第３の電極Ｔ１３は、一次巻線Ｃ１の第２のワイヤＳ２の端部Ｗ２を接続する第３の電極Ｔ１３を接続している。第４の電極Ｔ１４は、二次巻線Ｃ２の第３のワイヤＳ３の中間タップ側の端部Ｗ５を接続している。
第２のツバ部１２ｂの上には、４つの電極Ｔ１５〜Ｔ１８を順に設けている。なお、第２のツバ部１２ｂでは、第１のツバ部１２ａ上の電極とは逆方向に設けている。第５の電極Ｔ１５は、二次巻線Ｃ２の第３のワイヤＳ３の端部Ｗ３を接続している。第６の電極Ｔ１６は、一次巻線Ｃ１の第２のワイヤＳ２の中間タップ側の端部Ｗ８を接続している。第７の電極Ｔ１７は、二次巻線Ｃ２の第４のワイヤＳ４の端部Ｗ４を接続している。第８の電極Ｔ１８は、一次巻線Ｃ１の第１のワイヤＳ１の中間タップ側の端部Ｗ７を接続している。
図４では、さらに、第２の電極Ｔ１２と第４の電極Ｔ１４とを第１のツバ部１２ａの外面側で接続するタップ接続電極ＴＣ１と、第６の電極Ｔ１６と第８の電極Ｔ１８とを第２のツバ部１２ｂの外面側で接続するタップ接続電極ＴＣ２とを設けている。これによって、第１のワイヤＳ１の端部Ｗ７と第２のワイヤＳ２の端部Ｗ８とをタップ接続電極ＴＣ１で接続して、一次巻線Ｃ１の中間タップを形成している。また、第３のワイヤＳ３の端部Ｗ５と第４のワイヤＳ４の端部Ｗ６とをタップ接続電極ＴＣ２で接続して、二次巻線Ｃ２の中間タップを形成している。
なお、図５の変形例では、コイル部品１０ｂ内ではタップ接続電極を設けておらず、実装する基板上の電極ＳＴ１、ＳＴ２によって、第２の電極Ｔ１２と第４の電極Ｔ１４と、第６の電極Ｔ１６と第８の電極Ｔ１８とを、それぞれ接続している。
【００２８】
＜ワイヤ＞
４つのワイヤＳ１〜Ｓ４は、以下のように各電極間に接続されている。
第１のワイヤＳ１は、両端に端部Ｗ１と端部Ｗ７とを有する。第１のワイヤＳ１は、端部Ｗ１で、第１のツバ部１２ａの第１の電極Ｔ１１に接続され、端部Ｗ７で、第２のツバ部１２ｂの第８の電極Ｔ１８に接続されている。
第２のワイヤは、両端に端部Ｗ２と端部Ｗ８とを有する。第２のワイヤＳ２は、端部Ｗ２で、第１のツバ部１２ａの第３の電極Ｔ１３に接続され、端部Ｗ８で、第２のツバ部１２ｂの第６の電極Ｔ１６に接続されている。
第３のワイヤＳ３は、両端に端部Ｗ３と端部Ｗ５とを有する。第３のワイヤＳ３は、端部Ｗ５で、第１のツバ部１２ａの第４の電極Ｔ１４に接続され、端部Ｗ３で、第２のツバ部１２ｂの第５の電極Ｔ１５に接続されている。
第４のワイヤＳ４は、両端に端部Ｗ４と端部Ｗ６とを有する。第４のワイヤＳ４は、端部Ｗ６で、第１のツバ部１２ａの第２の電極Ｔ１２に接続され、端部Ｗ４で、第２のツバ部１２ｂの第７の電極Ｔ１７に接続されている、
【００２９】
なお、本開示においては、前述した様々な実施の形態のうちの任意の実施の形態を適宜組み合わせることを含むものであり、それぞれの実施の形態が有する効果を奏することができる。
【産業上の利用可能性】
【００３０】
本発明に係るコイル部品によれば、ツバ部上での電極配置を変更することによって電極周辺でのワイヤのクロス箇所を減らすことができる。これによって、ツバ部の電極とワイヤとの熱圧着の際のショートの発生を抑制でき、絶縁耐圧の長期信頼性を向上させることができる。
【符号の説明】
【００３１】
１０、１０ａ、１０ｂ  コイル部品
１１  巻芯部
１２ａ  第１ツバ部
１２ｂ  第２ツバ部
Ｃ１  一次巻線
Ｃ２  二次巻線
Ｓ１、Ｓ２、Ｓ３、Ｓ４  ワイヤ
Ｔ１〜Ｔ６、Ｔ１１〜Ｔ１８、Ｔ５１〜Ｔ５６  電極
Ｗ１〜Ｗ８、Ｗ５１〜Ｗ５８  端部
ＴＣ１、ＴＣ２  タップ接続電極
ＳＴ１、ＳＴ２  基板の電極
５０  パルストランス
５１  巻芯部
５２ａ、５２ｂ  ツバ部
【図１】
0006492730.tif 000002
【図２】
0006492730.tif 000003
【図３】
0006492730.tif 000004
【図４】
0006492730.tif 000005
【図５】
0006492730.tif 000006
【図６】
0006492730.tif 000007